(57)【要約】【課題】中空板材においてエッジテープの剥離を防止する。【解決手段】中空構造体２を用いて中空板材を形成する。中空構造体２は、厚み方向ａの両側に位置する平坦な第一面１０及び第二面１２と、周縁に位置する端面１４とを有する。この中空構造体２の端面１４上に、下地材１８が貼着され、中空構造体２の第一面１０と第二面１２には、端面１４上の下地材１８にまで跨るようにそれぞれ化粧材４，６が積層される。そして、両側の化粧材４，６の端縁と、下地材１８とを共に隠すようにエッジテープ８が貼着される。下地材１８はエッジテープ８と一体に成形してもよい。【選択図】図１
2014069466.tif 000002
【特許請求の範囲】
【請求項１】
板状である中空構造体を用いて形成した中空板材であって、
前記中空構造体は、厚み方向の一方に形成される平坦な第一面と、厚み方向の他方に形成される平坦な第二面と、第一面と第二面の互いの周縁間に形成される端面とを有し、
前記中空構造体の端面上に、下地材が貼着され、
前記中空構造体の第一面と第二面には、前記端面上の下地材にまで跨るようにそれぞれ化粧材が積層され、
両面の化粧材の端縁と、下地材とを共に隠すようにエッジテープが貼着されていることを特徴とする中空板材。
【請求項２】
前記エッジテープは、前記中空構造体のコーナー部分を経て周方向に貼着されていることを特徴とする請求項１に記載の中空板材。
【請求項３】
板状である中空構造体を用いて形成した中空板材であって、
前記中空構造体は、厚み方向の一方に形成される平坦な第一面と、厚み方向の他方に形成される平坦な第二面と、第一面と第二面の互いの周縁間に形成される端面とを有し、
前記中空構造体の第一面と第二面には、前記中空構造体の端面をはみ出して端縁が位置するように化粧材が積層され、
両面の化粧材の端縁と、前記中空構造体の端面とを共に隠すようにエッジテープが貼着されていることを特徴とする中空板材。
【発明の詳細な説明】
【技術分野】
【０００１】
本発明は、中空構造体を用いて形成した中空板材に関する。
【背景技術】
【０００２】
棚板等に利用される板材として、木板の代わりに、中空構造体を用いて形成した軽量の中空板材が用いられる（特許文献１等参照）。このような中空板材では、中空構造体の端面にエッジテープを貼ることで、端面を覆い隠すことが行われる。
【先行技術文献】
【特許文献】
【０００３】
【特許文献１】特開平８−２８１８４９号公報
【発明の概要】
【発明が解決しようとする課題】
【０００４】
しかし、中空構造体の端面に、エッジテープを直接貼り付けるだけでは、剥離強度が十分に得られず、エッジテープが剥離しやすいという問題がある。
【０００５】
本発明は前記問題点に鑑みて発明したものであって、高い剥離強度でエッジテープを貼着することのできる中空板材を提案することを、課題とする。
【課題を解決するための手段】
【０００６】
前記課題を解決するため、本発明を、下記構成を具備する中空板材とする。
【０００７】
つまり、本発明は、板状である中空構造体を用いて形成した中空板材であって、前記中空構造体は、厚み方向の一方に形成される平坦な第一面と、厚み方向の他方に形成される平坦な第二面と、第一面と第二面の互いの周縁間に形成される端面とを有し、前記中空構造体の端面上に、下地材が貼着され、前記中空構造体の第一面と第二面には、前記端面上の下地材にまで跨るようにそれぞれ化粧材が積層され、両面の化粧材の端縁と、下地材とを共に隠すようにエッジテープが貼着されていることを特徴とする。
【０００８】
前記エッジテープは、前記中空構造体のコーナー部分を経て周方向に貼着されていることが好ましい。
【０００９】
また、前記課題を解決するため、本発明を、下記構成を具備する中空板材としてもよい。
【００１０】
つまり、本発明は、板状である中空構造体を用いて形成した中空板材であって、前記中空構造体は、厚み方向の一方に形成される平坦な第一面と、厚み方向の他方に形成される平坦な第二面と、第一面と第二面の互いの周縁間に形成される端面とを有し、前記中空構造体の第一面と第二面には、前記中空構造体の端面をはみ出して端縁が位置するように化粧材が積層され、両面の化粧材の端縁と、前記中空構造体の端面とを共に隠すようにエッジテープが貼着されていることを特徴とする。
【発明の効果】
【００１１】
本発明は、中空構造体の端面に対して、エッジテープを高い剥離強度で貼着することができるという効果を奏する。
【図面の簡単な説明】
【００１２】
【図１】（ａ）−（ｄ）は本発明の第１実施形態の中空板材の製造工程を順に示す要部断面図である。
【図２】同上の中空板材の全体斜視図である。
【図３】（ａ）−（ｄ）は、同上の中空板材に用いる中空構造体の製造工程を順に説明する斜視図である。
【図４】本発明の第２実施形態の中空板材の要部断面図である。
【発明を実施するための形態】
【００１３】
本発明を、添付図面に示す実施形態に基づいて説明する。図１（ａ）−（ｄ）には、本発明の第１実施形態の中空板材を製造する工程を順に示し、図２には、第１実施形態の中空板材の全体を示している。この中空板材は、例えばテーブルや棚の板材として使用可能であり、図２ではその周縁が直線部と曲線部で構成されているが、直線部だけ又は曲線部だけで構成されたものであってもよい。
【００１４】
図１に示すように、本実施形態の中空板材は、板状である樹脂製の中空構造体２を用い、この中空構造体２の厚み方向ａの一方に薄板状の化粧材４を貼り付け、中空構造体２の厚み方向ａの他方に同じく薄板状の化粧材６を貼り付け、更に、中空構造体２の周縁にエッジテープ８を貼り付けた構造となる。以下の本文中においては、一方の化粧材４を第一化粧材４とし、他方の化粧材６を第二化粧材６とする。
【００１５】
中空構造体２は、樹脂製である中空コア層１０６、第一シート１０８及び第二シート１１０からなる。中空コア層１０６は、厚み方向ａの一方に第一スキン面を有し、厚み方向ａの他方に第二スキン面を有する。第一シート１０８は、中空コア層１０６の第一スキン面の全体を覆い、第二シート１１０は、中空コア層１０６の第二スキン面の全体を覆う。
【００１６】
中空コア層１０６は、その内部空間を、樹脂製である多数の隔壁部１１２によってハニカム状に仕切った構造である。隔壁部１１２は、厚み方向ａに起立するように多数形成され、これら隔壁部１１２により仕切られた各空間が、平面視六角形状の中空部１１４となる。言い換えれば、中空コア層１０６は、厚み方向ａと直交する面上において、多数の中空部１１４が隔壁部１１２を介してマトリクス状に配された構造である（図３参照）。なお、中空コア層１０６は前記構造に限定されず、例えば、押し出し成形によってハーモニカの穴のように中空部分を一列に形成した中空構造、一対の円錐台の上底面同士を付き合わせた形状の柱体や円柱体を多数並設した中空構造等の、他の構造でもよい。また、中空コア層１０６は樹脂製に限定されず、ペーパーハニカム等の他の材質のものであってもよい。
【００１７】
上記構造の中空構造体２においては、図１（ａ）に示すように、厚み方向ａの一方に貼着される第一シート１０８の表面が、平坦な第一面１０となる。また、中空構造体２の厚み方向ａの他方に貼着される第二シート１１０の表面が、平坦な第二面１２となる。
【００１８】
中空構造体２の端面１４は、ハニカム形状を有する中空コア層１０６の切断面と、第一及び第二シート１０８，１１０の切断面とから成る。これらの切断面は、互いに同一面上に位置する。また、これらの切断面のうち、中空コア層１０６の切断面上にある中空部１１４の開口面が、隔壁部１１２を介して周縁方向に多数並設された構造となる。そのため、中空構造体２の端面１４は、平坦面ではなく、多数の中空部１１４と隔壁部１１２が周縁方向に沿って位置する凹凸形状となる。この凹凸形状の端面１４が、厚み方向ａに距離を隔てて位置する第一面１０と第二面１２の互いの周縁間に形成される。
【００１９】
図１（ｂ）に示すように、中空構造体２の端面１４に接着剤１６を塗布する。接着剤１６の塗布にはローラー式の接着機を用いるが、ノズル式の接着機等の他の手段を用いて塗布してもよい。このとき、接着剤１６は、第一及び第二シート１０８，１１０の端面上の領域と、中空コア層１０６の端面上の領域に加えて、開口面を通じて中空部１１４の内面の領域に至るまで塗布される。この接着剤１６の塗布後に、中空構造体２の端面１４全体を覆うように、柔軟性を有する材質を用いて形成した下地材１８を貼着する。なお、接着剤１６を下地材１８側に塗布した後に、これを端面１４に貼着してもよい。
【００２０】
下地材１８は、端面１４に貼着した時点では第一シート１０８や第二シート１１０の表面からはみ出る寸法に設けておき、貼着後に下地材１８を切断することで、第一シート１０８や第二シート１１０の表面と面一となる位置に、端面２０，２２を形成する。ここでの下地材１８の端面２０，２２は、貼着時において中空構造体２の厚み方向ａの両側に位置する端面である。なお、接着剤１６を介して端面１４に貼着した時点で、この下地材１８の一方の端面２０が、第一シート１０８の表面（即ち第一面１０）と面一になり、下地材１８の他方の端面２２が、第二シート１１０の表面（つまり第二面１２）と面一になる寸法に、予め下地材１８を設けてもよい。
【００２１】
次いで、図１（ｃ）に示すように、下地材１８を貼着した中空構造体２に対して、その厚み方向ａの両側から第一及び第二化粧材４，６を貼着する。中空構造体２の厚み方向ａの一方の側（図中の上側）には、第一シート１０８の表面である第一面１０と、これを囲むように位置する下地材１８の端面２０とを共に覆うように、接着剤２４を介して第一化粧材４を貼着させる。接着剤２４は、中空構造体２の第一面１０側に塗布してもよいし、第一化粧材４の裏面側に塗布してもよい。
【００２２】
同様に、中空構造体２の厚み方向ａの他方の側（図中の下側）には、第二シート１１０の表面である第二面１２と、これを囲むように位置する下地材１８の端面２２とを共に覆うように、接着剤２６を介して第二化粧材６を貼着させる。接着剤２６は、中空構造体２の第二面１２側に塗布してもよいし、第二化粧材６の裏面側に塗布してもよい。
【００２３】
第一化粧材４や第二化粧材６としては、板状の部材を用いることが好ましいが、シート状やフィルム状の部材を用いてもよい。また、第一化粧材４や第二化粧材６の材質としては、メラミン、突板、ポリエステル、ポリ塩化ビニル、オレフィン等の多様な材質が用いられる。第一化粧材４と第二化粧材６の一方又は両方を、色彩や模様等の意匠的な化粧を施していない部材とすることも可能である。
【００２４】
前記のように貼着された第一化粧材４の周縁に形成される端面２８は、下地材１８が有する平坦な外面３０と面一に位置する。同じく、前記のように貼着された第二化粧材６の周縁に形成される端面３２は、下地材１８が有する平坦な外面３０と面一に位置する。つまり、第一化粧材４の端面２８と、下地材１８の外面３０と、第二化粧材６の端面３２とが、中空構造体２の厚み方向ａに沿って面一に連続し、全体がフラットに形成される。第一及び第二化粧材４，６は、このような寸法となるように予め切断しておけばよい。なお、貼着後に第一及び第二化粧材４，６を切断することで、端面２８，３２を前記位置に形成してもよい。
【００２５】
次いで、図１（ｄ）に示すように、下地材１８を挟んで第一及び第二化粧材４，６を貼着した中空構造体２に対して、エッジテープ８を貼着する。エッジテープ８は、その平坦な裏面側を、下地材１８の外面３０と、これを挟んで位置する第一及び第二化粧材４，６の端面２８，３２とを覆うように、接着剤３６を介して貼着する。接着剤３６は、前記の各面２８，３０，３２側に塗布してもよいし、エッジテープ８の裏面側に塗布してもよい。なお、前記した各接着剤１６，２４，２６，３６として、同一の種類の接着剤を用いてもよいし、互いに相違する種類の接着剤を用いてもよい。また、各接着剤１６，２４，２６，３６として、ホットメルト接着剤を用いることや、これら接着剤１６，２４，２６，３６の代わりに熱溶着によって接着させることも可能である。
【００２６】
ここで、本実施形態で用いる樹脂製の中空構造体２の製造工程について、図３に基づいて説明する。この中空構造体２は、図３（ａ）−（ｄ）に示す工程によって、板状に成形される。まず、図３（ａ）に示すように、ポリプロピレン製のシート１００に真空成形を施し、このシート１００に多数列のハーフハニカムウェブ１０２と平坦部分１０４を形成する。次いで、図３（ｂ）に示すように、各ハーフハニカムウェブ１０２が起立するようにシート１００を一方向に折り畳んでゆき、隣接して起立するハーフハニカムウェブ１０２同士が互いに密着し、連続したハニカム構造を形成するように組み合わせる。このとき、シート１００が隣接するハーフハニカムウェブ１０２間に有する一直線状の平坦部分１０４が、一面側と他面側に交互に配されてゆく。隣接する平坦部分１０４同士は互いに突き合わされ、連続したスキン面を形成する。ここで図３（ｃ）に示すように、隣接する平坦部分１０４同士を熱溶着させることで、平面視六角形状の中空部１１４を多数有するハニカム状の中空コア層１０６が形成される。
【００２７】
次いで、図３（ｄ）に示すように、この中空コア層１０６に形成される一面側と他面側のスキン面に対して、ポリプロピレン製の第一及び第二シート１０８，１１０をラミネートさせてゆく。中空コア層１０６と第一及び第二シート１０８，１１０とは、同一材料であることが貼り合わせ強度の点で好ましいが、第一及び第二シート１０８，１１０としてポリプロピレン以外の熱可塑性樹脂シートを用いてもよい。
【００２８】
本実施形態で用いる中空構造体２は、上記のようにして形成されるものであり、中空構造の中空コア層１０６を、第一及び第二シート１０８，１１０によって厚み方向の両側からサンドイッチした構造の板材となる。そのため、この中空構造体２は、薄板状であっても単位重量あたりの強度が非常に高く、また、機械的特性において等方性に優れる。さらに、この中空構造体２は熱可塑性樹脂製であるから、二次加工性にも優れる。尚、第一及び第二シート１０８，１１０上にさらに不織布、多軸繊維シート、織物等から成る繊維シートを貼ってもよいし、第一及び第二シート１０８，１１０の代わりに不織布、多軸繊維シート、織物等から成る繊維シートを貼ってもよい。この場合、繊維シートの表面が第一面１０や第二面１２となる。また、第一及び第二シート１０８，１１０の代わりに熱可塑性樹脂製の樹脂板を用い、この樹脂板を中空コア層１０６の両側に一体に成形するように設けてもよい。この場合、樹脂板の表面が第一面１０や第二面１２になる。
【００２９】
上記の中空構造体２を用いて、図１に示す工程で製造された本実施形態の中空板材は、図２に示すように、厚み方向ａの両側が第一及び第二化粧材４，６によって覆われ、周縁が全周にわたってエッジテープ８で覆われた板材となる。そのため、一定の硬さを有する第一及び第二化粧材４，６によって全体の曲げ強度が確保され、エッジテープ８によって全体の見栄えが向上する。エッジテープ８として柔軟な材質のものを用いた場合には、身体に当たったときの痛みを低減することができ、また、他の荷物等が当たって破損を生じることも抑えられる。
【００３０】
加えて、本実施形態の中空板材によれば、下地材１８を中空構造体２の端面１４に貼着するに際して、端面１４にある隔壁部１１２や中空部１１４内面にまで接着剤２４を広く塗布することや、或いは広い範囲で熱溶着を行うことができるため、下地材１８が強固に接合される。特に、下地材１８の材質としてエッジテープ８よりも柔軟なものを用いることで、この下地材１８がエッジテープ８よりも端面１４に対して馴染みやすくなり、食い込みによって接着面積が増大することで、下地材１８と端面１４の接合強度が増大し、ひいてはエッジテープ８の剥離が一層防止される。
【００３１】
下地材１８の材質がエッジテープ８と同一又は類似のものである場合には、下地材１８をエッジテープ８よりも薄肉に設けることで、下地材１８をエッジテープ８よりも軟質化することができる。なお、下地材１８の厚みはエッジテープ８や第一化粧材４、第二化粧材６と同程度であってもよい。下地材１８がエッジテープ８と同程度の硬さである場合や、エッジテープ８より硬い場合であっても、本実施形態の中空板材を製造することは可能である。
【００３２】
そして、下地材１８が、中空構造体２の端面１４との間で強固に接合されることから、第一化粧材４や第二化粧材６には、下地材１８との接着面積を確保するための凹溝等を形成する必要がない。そのため、貼り付け作業やカット作業だけで中空板材を製造することができる。
【００３３】
また、下地材１８は第一化粧材４と第二化粧材６によって両側から挟み込まれる構造となるので、下地材１８を高い接合強度で接合させることができる。
【００３４】
本実施形態で用いる中空構造体２はそれ自体が高い曲げ強度を有するため、第一化粧材４や第二化粧材４，６は、エッジテープ８と同程度の厚み又はこれより薄く設けることができ、ひいては中空板材全体の薄型化や軽量化が図られる。
【００３５】
また、エッジテープ８は、下地材１８が有する平坦な外面３０に対して強固に接着させることができる。そのため、保管時や使用時にエッジテープ８が剥がれ落ちることや、捲れ上がることが防止される。このエッジテープ８は、中空構造体２の四隅のコーナー部分を経て全周にわたって強固に貼着されるので、特にコーナー部分での捲れ上がりが防止される。一般的に、エッジテープ８はコーナー部分において元に戻ろうとする力が働き、剥がれやすくなるが、本実施形態ではエッジテープ８の裏面の全面に亘って設けた接着剤と、下地材１８との間に介在する接着剤３６とが一体となるので、コーナー部分でも高い剥離強度が得られる。また、エッジテープ８を巻き付けて保管してある場合には、コーナー部分だけでなく直線部分でも剥離が生じやすくなるが、この場合も同様の構造により高い剥離強度が得られる。特に、ホットメルト接着剤を用いた場合には、エッジテープ８の裏面側にある接着剤３６が、下地材１８の端面２０，２２側にある接着剤２４，２６と略Ｔ字状をなすように一体化し、高い接着強度を発揮する。
【００３６】
なお、エッジテープ８を全周にわたって貼着するのでなく、一つのコーナー部分を経て二辺にわたってエッジテープ８を貼着することや、二つのコーナー部分を経て三辺にわたってエッジテープ８を貼着することも可能である。エッジテープ８の材質としては、ＡＢＳ，ＰＶＣ，ＰＰ，ＥＶＡ等の樹脂材が用いられる。下地材１８の材質としても、同様にＡＢＳ，ＰＶＣ，ＰＰ，ＥＶＡ等の樹脂材が用いられ、エッジテープ８と下地材１８とが同一の材質であってもよいし、別異の材質であってもよい。
【００３７】
図４は、本発明の第２実施形態の中空板材の要部断面である。以下においては、図４に基づいて本実施形態の中空板材について説明するが、既述した第１実施形態の中空板材と同様の構成については、同一符号を付して詳しい説明を省略し、第１実施形態と相違する特有の構成について詳述する。
【００３８】
本実施形態の中空板材では、第１実施形態のように下地材１８を設けるのではなく、この下地材１８に相当する寸法形状の凸部４０を、エッジテープ８の裏面側に一体に成形している。
【００３９】
そのため、第１実施形態と同様の中空構造体２を用い、この中空構造体２の第一面１０上に接着剤２４を介して第一化粧材４を貼着し、第二面１２上に接着剤２６を介して第二化粧材６を貼着したものに対して、下地材１８を介さず、平坦ではない端面１４対して直接的にエッジテープ８を貼着することができる。
【００４０】
このときも、中空構造体２の端面１４には、ノズル式の接着機等を用いて接着剤４２を容易に塗布することができる。この接着剤４２は、第一及び第二シート１０８，１１０の端面上の領域と、中空コア層１０６の端面上の領域に加えて、開口面を通じて中空部１１４の内面の領域に至るまで塗布される。接着剤４２の塗布後に、中空構造体２の端面１４上にエッジテープ８を貼着する。特にホットメルト接着剤を用いた場合は、エッジテープ８の裏側にある接着剤４２がＬ字状となって高い接着強度を発揮する。
【００４１】
第一及び第二化粧材４，６の端面２８，３２の位置は、共に中空構造体２の端面よりも所定寸法だけ外側にはみ出るように設定しており、これにより、第一化粧材４と第二化粧材６の互いの端縁部間に、エッジテープ８の裏面側の凸部４０が挟まるように設けている。なお、エッジテープ８の裏面側に、第一実施形態と同様の接着剤３６を塗布してもよい。また、二色成形によってエッジテープ８を形成し、凸部４０が位置する裏面側を、表面側よりも軟質に設けることも好ましい。
【００４２】
上述のようにして製造される本実施形態の中空板材においても、第一実施形態の場合と同様に、厚み方向ａの両側が第一及び第二化粧材４，６によって覆われ、周縁が全周にわたってエッジテープ８で覆われた板材となり、一定の硬さを有する第一及び第二化粧材４，６によって全体の強度が確保され、エッジテープ８によって全体の見栄え等が向上する。
【００４３】
加えて、エッジテープ８を中空構造体２の端面１４に貼着するに際して、端面１４にある隔壁部１１２や中空部１１４内面に至るまで接着剤４２を広く塗布することができるため、端面１４に対してエッジテープ８が強固に接合され、保管時や使用時にエッジテープ８が剥がれ落ちることや、捲れ上がることが防止される。
【００４４】
以上、添付図面に基づいて説明したように、本発明の第１実施形態の中空板材は、板状である中空構造体２を用いて形成したものである。中空構造体２は、厚み方向ａの一方に形成される平坦な第一面１０と、厚み方向ａの他方に形成される平坦な第二面１２と、第一面１０と第二面１２の互いの周縁間に形成される端面１４とを有する。この中空構造体２の端面１４上に、下地材１８が貼着され、中空構造体２の第一面１０と第二面１２には、端面１４上の下地材１８にまで跨るようにそれぞれ化粧材４，６が積層される。そして、両面の化粧材４，６の端縁と、下地材１８とを共に隠すようにエッジテープ８が貼着されている。
【００４５】
また、第１実施形態の中空板材において、エッジテープ８は、中空構造体２のコーナー部分を経て周方向に貼着されている。
【００４６】
したがって、第１実施形態の中空板材によれば、中空構造体２の端面１４に対して、下地材１８を介してエッジテープ８を高い剥離強度で貼着することができる。
【００４７】
また、本発明の第２実施形態の中空板材は、板状である中空構造体２を用いて形成したものである。中空構造体２は、厚み方向ａの一方に形成される平坦な第一面１０と、厚み方向ａの他方に形成される平坦な第二面１２と、第一面１０と第二面１２の互いの周縁間に形成される端面１４とを有する。中空構造体２の第一面１０と第二面１２には、中空構造体２の端面１４をはみ出して端縁が位置するように化粧材４，６が積層され、両面の化粧材４，６の端縁と、中空構造体２の端面１４とを共に隠すようにエッジテープ８が貼着されている。
【００４８】
したがって、第２実施形態の中空板材によれば、中空構造体２の端面１４に対して、エッジテープ８を高い剥離強度で且つ直接的に貼着することができる。
【００４９】
以上、本発明を添付図面に示す実施形態に基づいて説明したが、本発明は前記各例の実施形態に限定されるものではなく、本発明の意図する範囲内であれば、各例において適宜の設計変更を行うことや、各例の構成を適宜組み合わせて適用することが可能である。
【符号の説明】
【００５０】
２  中空構造体
４  第一化粧材
６  第二化粧材
８  エッジテープ
１０  第一面
１２  第二面
１４  端面
１８  下地材
ａ  厚み方向
【図１】
2014069466.tif 000003
【図２】
2014069466.tif 000004
【図３】
2014069466.tif 000005
【図４】
2014069466.tif 000006